(57)【特許請求の範囲】
【請求項１】
光ファイバ（１８、１９）を収納し該光ファイバを別の光ファイバ（１２）とコネクタ接続可能に成端する光コネクタ（２０）が側部に設けられた光ファイバ収納ケース（１３）を横並びに複数配列させた状態で引出可能に収納するケース収納部（１１）を備えてなる光配線盤であって、前記光ファイバ収納ケースは、前記光コネクタが取り付けられている前面側に対向する後端側に突出状態に設けられた突出片（２３ａ、２３ｂ）を備え、前記ケース収納部には、前記突出片を支持することで該ケース収納部内の所定の収納位置から引出方向側へずれた位置に前記光ファイバ収納ケースを支持する中間支持部（２９）と、前記突出片に設けられている押し込み方向当接部（３０）を係合させることで引出方向側へずれた位置における前記光ファイバ収納ケースの前記ケース収納部への押し込み方向の移動を規制する押し込み方向ストッパ（３１）とが設けられていることを特徴とする光配線盤（１０、１０Ａ、１０Ｂ）。
【請求項２】
前記光ファイバ収納ケースは、該光ファイバ収納ケースに設けられたガイド部材（２２ａ、２２ｂ）が前記ケース収納部に設けられたレール部（２４ａ、２６ａ）に対してスライド移動自在に設けられることによって前記ケース収納部に対して引出可能に収納され、前記突出片は、前記ガイド部材が前記光ファイバ収納ケースの後端方向に突出状態に延出された部分であることを特徴とする請求項１記載の光配線盤。
【請求項３】
前記中間支持部は、突出片を移動不可にロックした状態と該ロック状態の解除とを自在に切り換えることができるようになっていることを特徴とする請求項１または２記載の光配線盤。
【発明の詳細な説明】
【０００１】
【発明の属する技術分野】
本発明は、光ファイバを別の光ファイバとコネクタ接続可能に成端する光コネクタが側部に設けられた光ファイバ収納ケースを引出可能に収納する光配線盤に関するものである。
【０００２】
【従来の技術】
例えば、光配線盤等にあっては、外観薄板ケース状の光ファイバ収納ケースを用い、この光ファイバ収納ケースの側部に取り付けられた光コネクタによって光ファイバをコネクタ接続可能に成端するとともに、光ファイバの余長を前記光ファイバ収納ケース内に収納する構成が提案されている。
【０００３】
図６（ａ）、（ｂ）は、光ファイバ収納ケースを用いた光配線盤の一例を示す図であって、（ａ）は正面図、（ｂ）は側断面図である。
図６（ａ）、（ｂ）中、符号１は光配線盤、２はケース収納部、３は光ファイバ収納ケースである。
図６（ａ）、（ｂ）において、光配線盤１に設けられたケース収納部２には、外観薄板ケース状の光ファイバ収納ケース３が縦置きにして横並びに複数配列収納されている。各光ファイバ収納ケース３は、ケース収納部２に引き込まれた光ファイバ４の余長を収納するとともに、その側部に取り付けられた光コネクタ５（光コネクタアダプタ）によって前記光ファイバ４をコネクタ接続可能に成端するようになっている。各光ファイバ収納ケース３の光コネクタ５は、ケース収納部２の側部の作業面側（図６（ｂ）中左側）に向けられており、この作業面側に引き込まれた光ファイバ６が前記光コネクタ５にコネクタ接続されることで、光ファイバ４、６同士が接続されるようになっている。光ファイバ６は、先端が光コネクタ７（光コネクタプラグ）によってコネクタ接続可能に成端されており、ケース収納部２に収納された各光ファイバ収納ケース３の光コネクタ５に対して着脱自在とされることが普通であり、光コネクタ５に対する光コネクタ７の接続を切り替えることで、光ファイバ４に対して切替接続される。
【０００４】
【発明が解決しようとする課題】
ところで、図６の光配線盤１では、光ファイバ収納ケース３の光コネクタ５に対する光ファイバ６の接続作業は、各光ファイバ収納ケース３をケース収納部２の所定の収納位置に収納した状態で行うことが一般的であり（通常、ケース収納部２の最奥部に光ファイバ収納ケース３を突き当てて収納する）、ケース収納部２の作業面側の一定領域８（以下「コネクタ配列領域８」）に各光ファイバ収納ケース３の光コネクタ５が横並びに揃った状態で行われる。このため、前述の接続作業は、コネクタ配列領域８近傍の多数本の光ファイバ６が高密度に配線される領域にて行うこととなり、例えば、活線状態の光ファイバ６に触れて光通信の瞬断を生じさせたり、場合によっては光ファイバ６を折り曲げて傷めてしまうといった不都合が生じやすいといった問題があった。また、光ファイバ６との接触を回避しつつ接続作業を進めるのでは、作業能率が低下するといった不満もある。これに鑑みて、例えば、隣り合う光ファイバ収納ケース３間に充分な隙間を確保し、この隙間を作業スペースとして利用することで、目的の光ファイバ収納ケース３の周囲の光ファイバ６との接触を回避できるようすることも考えられるが、これでは、光ファイバ収納ケース３の実装密度が低下し、光配線盤の対応心数の減少や大型化を招くといった問題を生じるため、問題の根本的な解決に至らない。
なお、前述の問題は、光ファイバ６の接続作業に限定されず、光ファイバの切替作業、光ファイバの撤去作業等でも共通である。また、光ファイバ収納ケースを複数収納する構成であれば、例えば、いわゆる光接続箱等でも、光ファイバ収納ケースを複数収納する光配線盤と同様の構成を備えるものであれば、前記問題は同様に生じる。
【０００５】
本発明は、前述の課題に鑑みてなされたもので、ケース収納部内の所定の収納位置から引出方向にずれた位置に配置された光ファイバ収納ケースを、ケース収納部に設けられた中間支持部で支持することで、周囲の光ファイバ収納ケースや周囲の光ファイバ収納ケースの光コネクタに接続された光ファイバとの干渉等を回避して光ファイバの接続、切替接続等の作業を効率良く行うことができる光配線盤を提供することを目的とするものである。
【０００６】
【課題を解決するための手段】
本発明では、光ファイバを収納し該光ファイバを別の光ファイバとコネクタ接続可能に成端する光コネクタが側部に設けられた光ファイバ収納ケースを横並びに複数配列させた状態で引出可能に収納するケース収納部を備えてなる光配線盤であって、前記光ファイバ収納ケースは、前記光コネクタが取り付けられている前面側に対向する後端側に突出状態に設けられた突出片を備え、前記ケース収納部には、前記突出片を支持することで該ケース収納部内の所定の収納位置から引出方向側へずれた位置に前記光ファイバ収納ケースを支持する中間支持部と、前記突出片に設けられている押し込み方向当接部（３０）を係合させることで引出方向側へずれた位置における前記光ファイバ収納ケースの前記ケース収納部への押し込み方向の移動を規制する押し込み方向ストッパ（３１）とが設けられていることを特徴とする光配線盤を前記課題の解決手段とした。請求項２記載の発明は、請求項１記載の光配線盤において、前記光ファイバ収納ケースは、該光ファイバ収納ケースに設けられたガイド部材が前記ケース収納部に設けられたレール部に対してスライド移動自在に設けられることによって前記ケース収納部に対して引出可能に収納され、前記突出片は、前記ガイド部材が前記光ファイバ収納ケースの後端方向に突出状態に延出された部分であることを特徴とする。請求項３記載の発明は、請求項１または２記載の光配線盤において、前記中間支持部は、突出片を移動不可にロックした状態と該ロック状態の解除とを自在に切り換えることができるようになっていることを特徴とする。
【０００７】
【発明の実施の形態】
以下、本発明の１実施の形態を図面を参照して説明する。
図１は光配線盤１０を示す図であって、（ａ）は正面図、（ｂ）は平面図、（ｃ）は（ａ）のＡ−Ａ線断面矢視図である。図２はケース収納部１１を示す斜視図である。
【０００８】
図１（ａ）〜（ｃ）において、この光配線盤１０は、二つの光配線盤１０Ａ、１０Ｂを横並びに近接配置した構成になっている。両光配線盤１０Ａ、１０Ｂの境界近傍には、両光配線盤１０Ａ、１０Ｂに渡すように配線される光ファイバ１２を湾曲収納可能なジャンパ線配線部１０Ｃが設けられている。
光配線盤１０を構成する各光配線盤１０Ａ、１０Ｂは、光ファイバ収納ケース１３を横並びに複数配列させた状態で引出可能に収納するケース収納部１１を上下（図１中上下）に多段に設置した構成になっている。両光配線盤１０Ａ、１０Ｂのケース収納部１１は互いに対応する位置、すなわち、ほぼ水平（図１（ａ）中左右）の位置に設けられている。したがって、この光配線盤１０では、左右（図１中紙面左手前と紙面右奥）に対をなすケース収納部１１の組が上下に多段に設置された構成になっている。
【０００９】
図中符号１４、１５のケーブル固定部は、この光配線盤１０に引き込まれる光ファイバケーブル１６、１７を固定するものであり、図１（ａ）、（ｃ）では、光配線盤１０の下部にて、該光配線盤１０を構成するフレーム１０ａ（各光配線盤１０Ａ、１０Ｂを構成するフレーム）に固定して設けられている。但し、これらケーブル固定部１４、１５の光配線盤１０における設置位置は、図１（ａ）、（ｃ）に例示したものに限定されず、例えば、光配線盤１０の上部等であっても良い。
【００１０】
各光配線盤１０Ａ、１０Ｂでは、前記ケーブル固定部１４、１５に固定された光ファイバケーブル１６、１７端末から口出しされた光ファイバ１８、１９（光ファイバ心線等）が、光配線盤１０Ａ、１０Ｂの図１（ａ）中左右いずれかの側部あるいは背面側（図１（ａ）紙面奥側、図１（ｂ）中上側、図１（ｃ）中右側）に配線されて、目的のケース収納部１１に引き込まれ、さらに、このケーブル収納部１１に収納されている目的の光ファイバ収納ケース１３に引き込まれ、この光ファイバ収納ケース１３の側部に取り付けられている光コネクタ２０によって別の光ファイバに対してコネクタ接続可能に成端される。光ファイバ収納ケース１３内には、光ファイバ１８、１９の余長が湾曲収納される。
【００１１】
図２および図３（ａ）に示すように、目的のケース収納部１１に引き込まれた光ファイバ１８、１９は、まず、ケース収納部１１上部の上部ガイド部２６上に設けられた光ファイバ受け台２６ｂに配線されて、この光ファイバ受け台２６ｂから、該光ファイバ受け台２６ｂの下側にてケース収納部１１内に横並びに配列収納されている目的の光ファイバ収納ケース１３に配線される。
光ファイバ収納ケース１３に配線された光ファイバ１８、１９は、ケース本体２１の上部の開口部２１ａから該ケース本体２１内に引き込まれ、余長がケース本体２１内に引き出し可能に湾曲収納される。図２および図３（ａ）において、開口部２１ａは、ケース収納部１１に対する光ファイバ収納ケース１３の引き出し、押し込み方向に沿ったスリット状に延在形成されているから、ケース収納部１１に対して光ファイバ収納ケース１３の引き出し、押し込みを行っても、光ファイバ受け台２６ｂと光ファイバ収納ケース１３との間に配線されている光ファイバ１８、１９は、スリット状の開口部２１ａ内での収納位置が変化するのみで、光ファイバ収納ケース１３からの光ファイバ１８、１９の引き出しが生じることは殆ど無い。光ファイバ収納ケース１３からの光ファイバ１８、１９の引き出しが生じたとしても、光ファイバ収納ケース１３内に収納した光ファイバ１８、１９に確保した引出余長が引き出されることで、光ファイバ１８、１９には無理な引っ張り力が作用せず、光特性を安定に維持できるようになっている。
なお、図３（ａ）では、開口部２１ａは、光ファイバ収納ケース１３の前後方向（光コネクタ２０が取り付けられている側が前側）に延在するようにして、ケース本体２１側部に設けられたレール状のガイド部材２２ａに沿ったスリット状になっているが、図２では、ガイド部材２２ａは図示を省略している。
【００１２】
図１（ａ）および図２に示すように、光配線盤１０内に配線された光ファイバ１２の両端を、異なる光コネクタ２０に接続することで、これら光コネクタ２０によってコネクタ接続可能に成端された光ファイバ１８、１９同士が接続される。また、光ファイバ１２を、光配線盤１０内の複数の光ファイバ収納ケース１３の光コネクタ２０に対して切替接続することで、この光ファイバ１２を介して接続する光ファイバの組を自在に変更できる。
本実施の形態では、具体的には、光配線盤１０を構成する両光配線盤１０Ａ、１０Ｂ間に渡すようにして配線された光ファイバ１２を、各光配線盤１０Ａ、１０Ｂのケース収納部１１に収納された光ファイバ収納ケース１３の光コネクタ２０に接続することで、目的の光ファイバ１８、１９同士を接続している。また、各光配線盤１０Ａ、１０Ｂのケース収納部１１に複数収納された光ファイバ収納ケース１３の光コネクタ２０に対して光ファイバ１２を切替接続することで、接続する光ファイバ１８、１９間を自在に切替接続することができる。図２中、符号３２は、光ファイバ１２が配線される光ファイバ受け台、３３は、光ファイバ１２を着脱自在に保持するクランプである。
なお、ジャンパ線配線部１０Ｃには、光ファイバ１２の余長を湾曲収納しているから、ケース収納部１１に対する光ファイバ収納ケース１３の引き出しや収納を行っても、光ファイバ１２に光特性に影響を与えるような引張力等が作用しないようになっている。
【００１３】
図３は光ファイバ収納ケース１３を示す図であって、（ａ）は斜視図、（ｂ）は光ファイバ収納ケース１３に設けられたガイド部材２２ａ、２２ｂと、ケース収納部１１側に設けられたレール部２４ａ、２６ａとの係合状態を示す断面図である。
図３（ａ）、（ｂ）に示すように、光ファイバ収納ケース１３は、光ファイバ１８、１９を収納するケース本体２１と、このケース本体２１の側部に設けられた光コネクタ２０と、前記ケース本体２１において光コネクタ２０が取り付けられている前面側から該前面側に対向する後端に向けて延在するようにして取り付けられたレール状のガイド部材２２ａ、２２ｂとを備えた構成になっている。
前記ガイド部材２２ａ、２２ｂは、ケース本体２１において互いに離間させて１対が平行配置されている。また、各ガイド部材２２ａ、２２ｂは、ケース本体２１の後端から延出させて突出状態とされた部分である突出片２３ａ、２３ｂを備えている。
【００１４】
図３（ａ）、（ｂ）において、ケース本体２１は、具体的には、プラスチック等から外観薄板ケース状に形成されており、前記ガイド部材２２ａ、２２ｂは、ケース本体２１の面方向の対向する一対の側部にそれぞれ固定されている。また、ケース収納部１１では、複数の光ファイバ収納ケース１３が縦置き横並びに収納される。
【００１５】
図２および図４（ａ）、（ｂ）に示すように、前記ケース収納部１１は、光ファイバ収納ケース１３が載置されるケース台２４と、このケース台２４上のケース収納空間２５を介してその上方に設けられた上部ガイド部２６との間に、光ファイバ収納ケース１３をスライド移動自在に収納するようになっている。ケース収納部１１に収納された光ファイバ収納ケース１３は、図２中矢印Ｂ方向に引出自在である。光配線盤１０に設置された各ケース収納部１１は、光ファイバ収納ケース１３の引出方向が、光配線盤１０の背面側に対向する前面側（図２中矢印Ｂ方向、図４（ａ）、（ｂ）中左側）に揃えられており、各ケース収納部１１では光ファイバ収納ケース１３がその引出方向側（光配線盤１０、１０Ａ、１０Ｂ前面側）に光コネクタ２０を向けた状態で収納されている。
【００１６】
図２〜図４（ａ）、（ｂ）に示すように、光ファイバ収納ケース１３は、一方のガイド部材２２ａを上部ガイド部２６側のレール部２６ａにスライド移動自在に支持させ、他方のガイド部材２２ｂをケース台２４側のレール部２４ａにスライド移動自在に支持させることで、ケース収納部１１にスライド移動自在に収納される。
【００１７】
前記ケース収納部１１に設けられたストッパ片２８は、光配線盤１０前面側に光ファイバ収納ケース１３が抜け出ることを防止するものであり、光ファイバ収納ケース１３の後端から離間した位置にて前記突出片２３ａに設けられた当接片２７が当接されることで、前記光ファイバ収納ケース１３の引出方向（光配線盤１０前面側）へのそれ以上の移動を規制するようになっている。前記突出片２３ａの当接片２７が前記ストッパ片２８に当接する位置でも、レール部２４ａ、２６ａによってガイド部材２２ａ、２２ｂが支持されているため、これにより、光ファイバ収納ケース１３は、ケース収納部１１内の所定の収納位置（図４（ａ）の位置）から引出方向側へずれた位置（以下、この位置を「中間支持位置」と称する）にて支持されることとなる。また、前記ストッパ片２８は、ケース収納部１１において、光配線盤１０の前面側に設けられおり、このストッパ片２８に当接される当接片２７は、光ファイバ収納ケース１３の後端から離間した位置にて前記突出片２３ａに設けられているから、「中間支持位置」の光ファイバ収納ケース１３には、ケース収納部１１からの突出寸法を充分に確保できる。
なお、前記中間支持位置は、当接片２７がストッパ片２８と当接する位置に限定されず、上部ガイド部２６の光配線盤１０前面側の端部に設けられた中間支持部２９の範囲に当接片２７が位置する場合を指す。前記中間支持部２９には、ストッパ片２８や、後述する押し込み方向ストッパ３１が設けられている。
【００１８】
図４（ａ）、（ｂ）に示すように、ケース収納部１１では、中間支持位置に支持された光ファイバ収納ケース１３の前記突出片２３ａに設けられている押し込み方向当接部３０を、前記中間支持部２９に設けられた押し込み方向ストッパ３１に係合させることで、光ファイバ収納ケース１３の前記ケース収納部１１への押し込み方向（光配線盤１０の背面側）の移動を規制することができる。
【００１９】
図５（ａ）〜（ｃ）は、押し込み方向当接部３０および押し込み方向ストッパ３１の一例を示す。
図５（ａ）〜（ｃ）において、押し込み方向当接部３０は、具体的には、突出片２３ａのケース本体２１後端からの突出方向先端であり、前記押し込み方向ストッパ３１は、上部ガイド部２６に形成された凹所３１ａ（切欠部）の光配線盤１０背面側（図５（ａ）〜（ｃ）右側。換言すれば光ファイバ収納ケース１３の押し込み方向奥側）に位置する壁状部である。中間支持位置に引き出した光ファイバ収納ケース１３を、上部ガイド部２６とケース台２４との間に確保したクリアランスの範囲で、光コネクタ２０側が押し込み方向当接部３０に対して低くなるようにして傾斜させ、押し込み方向当接部３０を押し込み方向ストッパ３１に入り込ませると（図５（ｃ）参照）、押し込み方向ストッパ３１の当接部３１ｂに前記押し込み方向当接部３０が当接可能となる。また、光ファイバ収納ケース１３は、ケース台２４と上部ガイド部２６との間に挟み込まれるようにして傾斜状態のまま安定に支持される。この状態では、光ファイバ収納ケース１３に押し込み方向の力が作用しても、押し込み方向ストッパ３１の当接部３１ｂに前記押し込み方向当接部３０が当接されることで、光ファイバ収納ケース１３の押し込み方向への移動が規制される。さらに、押し込み方向当接部３０が凹所３１ｂに入り込んだ状態では、光ファイバ収納ケース１３の傾斜によって、光ファイバ収納ケース１３のガイド部材２２ａの当接片２７が、上部ガイド部２６のストッパ片２８にほぼ当接するようになる。これにより、光ファイバ収納ケース１３は、押し込み方向前後のいずれにも移動が規制されることになるから、例えば、光ファイバ収納ケース１３の光コネクタ２０に対する光ファイバ１２先端の光コネクタプラグ１２ａの接続、接続解除等の作業を、光ファイバ収納ケース１３の押し込みや引き出しを生じること無く効率良く行うことができる。
【００２０】
押し込み方向ストッパ３１やストッパ片２８によって押し込み方向前後のいずれの方向にも移動が規制された状態（以下、この状態を「中間ロック状態」と称する）の光ファイバ収納ケース１３を操作して、ガイド部材２２ａ、２２ｂが、ケース台２４や上部ガイド部２６のレール部２４ａ、２６ａと平行となるように向きを戻すと、押し込み方向ストッパ３１が臨む凹所３１ａから突出片２３ａが抜き出され、中間ロック状態が解除される。中間ロック状態が解除された光ファイバ収納ケース１３は、ケース収納部１１の所定の収納位置まで押し込むことが可能であることは言うまでも無い。
つまり、このケース収納部１１では、中間支持位置に移動した光ファイバ収納ケース１３を操作してその傾斜向きを変更することで、中間支持位置に支持した光ファイバ収納ケース１３の押し込み方向前後への移動の規制や許可を簡単に切り替えることができる。
【００２１】
図４（ｂ）に示すように、中間ロック状態では、光ファイバ収納ケース１３にてその後端側に突出状態の突出片２３ａに設けられている当接片２７が、上部ガイド部２６の光配線盤１０、１０Ａ、１０Ｂ前面側端部に位置する中間支持部２９のストッパ片２８に係合するから、ケース本体２１後端からの突出片２３ａの突出寸法によって、ケース収納部１１から光配線盤１０、１０Ａ、１０Ｂ前面側への光ファイバ収納ケース１３の突出寸法を充分に確保できる。図４（ｂ）では、光ファイバ収納ケース１３を中間ロック状態とすると、ケース本体２１全体をケース収納部１１から露出させることができる。このため、光ファイバ収納ケース１３の光コネクタ２０は、ケース収納部１１から光配線盤１０、１０Ａ、１０Ｂ前面側に充分離れた位置に支持されることになるから、ケース収納部１１にて横並びに隣接する別の光ファイバ収納ケース１３の光コネクタ２０や、この光コネクタ２０に接続された光ファイバ１２等に干渉すること無く、光コネクタ２０に対する光ファイバ１２のコネクタ接続、接続解除等の作業を効率良く行うことができる。また、ケース収納部１１から光配線盤１０、１０Ａ、１０Ｂ前面側への光ファイバ収納ケース１３の突出寸法が充分に確保されていることから、この光ファイバ収納ケース１３に直接触れて中間ロック状態を解除する作業等も、周囲の光ファイバ１２等に極力触れること無く効率良く行うことができる。
【００２２】
なお、本発明は、前記実施の形態に限定されず、各種変更が可能であることは言うまでも無い。
例えば、ケース収納部に設けられているストッパ片や、このストッパ片に当接される当接片は、図３（ａ）、（ｂ）等に例示した構成、形状のものに限定されず、各種構成が採用が可能である。
また、請求項１に係る発明では、光ファイバ収納ケースに設けられる突出片は、ガイド部材の延出部である構成に限定されず、ガイド部材とは別体の構成も採用可能である。
【００２３】
【発明の効果】
以上説明したように、本発明の光配線盤によれば、光ファイバ収納ケースの後端側に突出状態の突出片を、ケース収納部の中間支持部によって支持することで、光ファイバ収納ケースを所定の収納位置から引出方向にずれた位置に支持でき、しかも、光ファイバ収納ケースにケース収納部からの突出寸法を充分に確保できるから、光ファイバ収納ケースの前面側に設けられている光コネクタに対する光ファイバのコネクタ接続や接続解除等の作業を、周囲の光ファイバ収納ケースや周囲の光ファイバ収納ケースの光コネクタに接続されている光ファイバと干渉すること無く効率良く行うことができ、作業性を向上できる。これにより、隣り合うケース収納部に、光ファイバ収納ケースを高密度実装することも可能となる。
請求項２記載の発明によれば、前記突出片は、ケース収納部のレール部に対してスライド移動自在に設けられるガイド部材を、前記光ファイバ収納ケースの後端側に突出状態に延出させた部分であることから、構成の単純化により、低コスト化が可能である。また、中間支持部も、構成の単純化が容易となり、低コスト化できる。
請求項３記載の発明によれば、中間支持部によって光ファイバ収納ケースをロックしておくことで、この光ファイバ収納ケースの光コネクタに対する光ファイバのコネクタ接続、接続解除の作業を、光ファイバ収納ケースの移動無しに効率良く行うことができる。
【図面の簡単な説明】
【図１】  本発明の１実施の形態の光配線盤を示す図であって、（ａ）は正面図、（ｂ）は（ａ）の平面図、（ｃ）は（ａ）のＡ−Ａ線断面矢視図である。
【図２】  図１（ａ）〜（ｃ）に示される光配線盤のケース収納部を示す斜視図である。
【図３】  図１（ａ）〜（ｃ）に示される光配線盤のケース収納部に適用される光ファイバ収納ケースの一例を示す図であって、（ａ）は斜視図、（ｂ）は光ファイバ収納ケースに設けられたガイド部材と、ケース収納部側に設けられたレール部との係合状態を示す断面図である。
面図前面側（光コネクタ側）から見た正面図である。
【図４】  図２のケース収納部における光ファイバ収納ケースの収納状態または支持状態を示す側面図であって、（ａ）は光ファイバ収納ケースを所定の収納位置に収納した状態、（ｂ）は光ファイバ収納ケースを中間支持位置に支持した状態を示す。
【図５】  図２のケース収納部に設けられた中間支持部を示す図であって、（ａ）は中間支持部のストッパ片に、光ファイバ収納ケースの突出片の当接片が当接していない状態、（ｂ）は前記ストッパ片に前記当接片が当接された状態、（ｃ）は中間支持部に突出片をロックした状態（中間ロック状態）を示す。
【図６】  従来例の光配線盤を示す図であって、（ａ）はケース収納部近傍を示す正面図、（ｂ）は（ａ）のケース収納部の側断面図である。
【符号の説明】
１０…光配線盤、１０Ａ，１０Ｂ…光配線盤、１１…ケース収納部、１２…光ファイバ（別の光ファイバ）、１３…光ファイバ収納ケース、１８，１９…光ファイバ、２２ａ，２２ｂ…ガイド部材、２３ａ，２３ｂ…突出片、２４ａ，２６ａ…レール部、２９…中間支持部。
【図１】
0003741921.tif 000002
【図２】
0003741921.tif 000003
【図３】
0003741921.tif 000004
【図４】
0003741921.tif 000005
【図５】
0003741921.tif 000006
【図６】
0003741921.tif 000007